(57)【要約】【課題】各センサのインターフェース回路は統一されておらずそれぞれ異なる。従って各センサは患者端末の専用の接続部であるコネクタに接続する必要があり、使用者である患者が接続を間違えると測定できないと言う課題を有していた。【解決手段】使用者である患者はセンサを患者端末である電子救急箱に設けられた複数のセンサ接続部に接続する際にその箇所を意識せずに接続可能にすることを目的とし、インターフェース回路が異なる複数のセンサをセンサケーブルを介して複数の任意のコネクタに接続することにより選択的に対応したインターフェース回路に接続して生体情報を収集する構成としたものである。【選択図】図１
2007130210.tif 000002
【特許請求の範囲】
【請求項１】
人体の生体情報を測定し前記生体情報を出力するインターフェース回路が異なる複数のセンサを接続するセンサーケーブルと、前記インターフェース回路が異なる複数のセンサをセンサケーブルを介して接続する患者端末本体部とを有し、前記患者端末本体部は複数の任意のコネクタと、前記複数の任意のコネクタに選択的に対応したインターフェース回路とを有することを特徴とする生体情報を収集する患者端末。
【請求項２】
前記センサケーブルは前記センサ毎に専用でセンサケーブル側のコネクタにセンサケーブル情報を保持し患者端末本体部側でこのセンサケーブル情報により患者端末本体部側のインターフェース回路を選択することを特徴とした請求項１に記載の患者端末。
【請求項３】
前記センサケーブルは前記センサ毎に専用でセンサケーブル側のコネクタには全ての異なるインターフェース回路に対応可能な数量の電極端子を有し、患者端末本体部との接続時には異なるインターフェース回路を有するセンサがそれぞれ対応したインターフェース回路に接続することを特徴とする請求項１に記載の患者端末。
【請求項４】
上記請求項１〜３項のいずれか一項記載の患者端末と、患者端末に集められた生体情報を記録するサーバー装置と、このサーバー装置に記録された生体情報を閲覧する医師側端末とで構成される健康管理支援システム。
【請求項５】
サーバー装置は一般通信回線で接続されたことを特徴とする請求項４に記載の健康管理支援システム。
【請求項６】
患者端末とサーバー装置はインターネットで接続されたことを特徴とする請求項４〜５のいずれか一項に記載の健康管理支援システム。
【発明の詳細な説明】
【技術分野】
【０００１】
本発明は使用者の生体情報をセンサで測定し収集する患者端末と、その患者端末に集められた生体情報を記録するサーバー装置とこのサーバー装置に記録した患者の生体情報を医師側端末で閲覧する健康管理支援システムに関する。
【背景技術】
【０００２】
従来のこの種の健康管理支援システムに用いられる生体情報を測定するセンサと、その測定情報を収集しこの収集した測定情報をサーバー装置へ送信する収集装置は特開２０００−８３９０７号公報に示されるようなものが一般的であった。図５に上記公報の装置（以下、電子救急箱という）を用いた従来の健康管理支援システムのシステム図を示す。電子救急箱３７はセンサである血圧計３８、心電計３９，耳孔体温計４０，血糖計４１、電子スコープ４２等を内部に収納する構成としている。またディスプレイ４３，スピーカ４４，マイク４５等も内蔵している。使用者は耳孔体温計４０や血圧計３８等のセンサで測定した体温や血圧値といった生体情報をこの専用の電子救急箱３７に収集する。生体情報４６はこの電子救急箱３７に接続した電話回線等の通信網２で接続されている医療機関等に設置したサーバー装置１に送り、その送られた生体情報を基に医療機関等で判断し、使用者の健康状態や推奨する食事の内容等の健康アドバイス情報４７を使用者にあらかじめ登録された使用者の電子救急箱３７に送信したり、あらかじめ登録された使用者の電話番号に電話することや登録された住所に書簡等を送付することによって行われてきている。
【特許文献１】特開２０００−８３９０７号公報
【発明の開示】
【発明が解決しようとする課題】
【０００３】
しかしながら、このような従来の健康管理支援システムにおいては、各センサに用いられている患者端末である電子救急箱へのインターフェース回路は統一されておらず各メーカーで異なるとともに同一メーカーであっても機種によって異なることもあった。従って各センサは患者端末である電子救急箱の専用の接続部であるコネクタに接続する必要があり、使用者である患者が接続を間違えると測定できないと言う課題があった。
【０００４】
従って、本発明はこのような従来の課題を解決するためになされたもので、使用者がセンサを患者端末に設けられた複数のセンサ接続部に接続する際にその箇所を意識せずに接続可能にすることを目的としている。
【０００５】
なお、「患者」という表現は真の患者を意味するのではなく、使用者全般の代表として表現したものであり、健康維持のために測定する人、測定対象者全般を意味する。
【課題を解決するための手段】
【０００６】
前記従来の課題を解決するために本発明の患者端末は、人体の生体情報を測定し前記生体情報を出力するインターフェース回路が異なる複数のセンサを接続するセンサーケーブルと、前記インターフェース回路が異なる複数のセンサをセンサケーブルを介して接続する患者端末本体部とを有し、前記患者端末本体部は複数の任意のコネクタと前記複数の任意のコネクタに選択的に対応したインターフェース回路とを有することを特徴とする生体情報を収集する。
【０００７】
この構成により、各センサは患者端末の接続部であるコネクタを意識して選ぶことなく接続することが可能となる。
【０００８】
また本発明は、前記センサケーブルは前記センサ毎に専用でセンサケーブル側のコネクタにセンサケーブル情報を保持し患者端末本体部側でこのセンサケーブル情報により患者端末本体部側のインターフェース回路を選択することを特徴としたものである。
【０００９】
この構成により、センサケーブルを各センサに対応した専用ケーブルとし、その相違点を患者端末本体部側で識別し、センサの識別を自動的に行うことが可能となる。
【００１０】
また、本発明は、センサケーブルは前記センサ毎に専用でセンサケーブル側のコネクタには全ての異なるインターフェース回路に対応可能な数量の電極端子を有し、患者端末本体部との接続時には異なるインターフェース回路を有するセンサがそれぞれ対応したインターフェース回路に接続することを特徴としたものである。
【００１１】
この構成により、センサケーブルを各センサに対応した専用ケーブルとし、その相違点を意識することなく必然的に接続が可能となる。
【００１２】
また本発明は、この患者端末と、患者端末に集められた生体情報を記録するサーバー装置と、このサーバー装置に記録された生体情報を閲覧する医師側端末とで構成することにより、センサの接続部であるコネクタを意識することなく使用できる健康管理支援システムが可能となる。
【００１３】
また本発明は、患者端末とサーバー装置は一般通信回線で接続されたことにより、非常に安価に確実に健康管理システムの構築が可能となる。
【００１４】
また本発明は、患者端末とサーバー装置はインターネットで接続されたことにより非常に安価に確実に健康管理システムの構築が可能となる。
【発明の効果】
【００１５】
本発明の患者端末は、各センサに対して固定した接続部であるコネクタを有することなく、どの接続部であるコネクタに接続してもセンサで測定した生体情報を収集することが可能となり、使用者である患者にとって使用上の負担が減り、どこの接続部であるコネクタに接続しても測定が可能となることから使用者である患者が接続を誤りセンサで測定した生態情報を患者端末に収集することができないといったことを防ぐことができ、非常に使い勝手の良いものとなる。また、既にあるセンサが接続されている状態で新たに別のセンサを接続したい場合も、空いている任意の接続部に接続することが可能となる。即ち、センサの着脱の手間が不要でありこのような観点からも非常に使い勝手の良いものとなる。
【００１６】
さらに患者端末とサーバー装置との間を一般電話回線やインターネットを用いて患者端末に収集した生態情報をサーバー装置に記憶することにより非常に安価に確実に健康管理システムの構築が可能となる。
【発明を実施するための最良の形態】
【００１７】
以下発明の実施の形態について、図面を参照しながら説明する。
【００１８】
（第１の実施の形態）
図１は本発明の第１の実施の形態の患者端末を用いた健康管理支援システムのシステム図を示す。なお、従来例と同じ構成要素には同一図番を付して詳細な説明は省略する。
【００１９】
サーバー装置１は通信網の一手段である電話回線やインターネット等２を通じ患者端末本体部４ａと接続されている。一方、血圧計３ａ・血糖計３ｂ・血中酸素飽和度計３ｃ等の各センサで測定された生態情報はセンサケーブル６を介して患者端末本体部４ａに集められる。患者端末本体部４ａに集められた生態情報は電話回線やインターネット等の通信網２を介してサーバー装置１に記録される。そしてサーバー装置１に接続された医師側端末５でサーバー装置１に記録された患者の生体情報を閲覧することができる。なお、本実施の形態においては、患者端末４は患者端末本体部４ａとセンサーケーブル６とで構成しており、特に区別する必要が無い場合、主として患者端末で表現しているが、必ずしもセンサケーブルを含むものではない。
【００２０】
ところで本実施例では血圧計３ａ・血糖計３ｂ・血中酸素飽和度計３ｃと患者端末本体部４ａはそれぞれ次のような異なった信号形態で各センサで収集した生態情報を患者端末本体部４ａに送信している。つまり血圧計３ａは０−１２Vの片方向のシリアル信号伝送を行い、血糖計３bは０−１２V(送信側)・０−５V(受信側)の双方向のシリアル信号伝送を行う。血中酸素飽和度計３cは０−５Ｖの片方向のシリアル信号伝送を行う。
【００２１】
また、三つのセンサはそれぞれ２本・３本・２本の信号線を有するセンサケーブルで接続されている。図２（ａ）・図２（ｂ）・図２（ｃ）に具体構成を示す。ケーブル６にはステレオミニプラグ６ａが付けられており、センサ３と患者端末本体部４ａにはステレオミニジャック７が付けられている。そしてセンサケーブル６のステレオミニプラグ６aは１ー１ピン間・２ー２ピン間・３ー３ピン間が接続されている。各センサは患者端末本体部４ａで選択される。
【００２２】
図２（a）に示すように血圧計３ａを接続する場合、血圧計３ａに内蔵されたトランジスタ８と抵抗９で構成されたインターフェース回路３ａ−Ｉは、ステレオミニジャック７の１−２ピンに接続され、ケーブル６と患者端末本体部４ａのステレオミニジャック７に接続された各信号線に対応したスイッチ１０・１１・１２を介して抵抗１３・１４及びトランジスタ１５で構成されたインターフェース回路４−３ａ−１に接続されている。
【００２３】
スイッチ１０・１１・１２は血圧計を選択した場合はそれぞれaの位置に選択的に設定されている。従って、血圧計３ａで測定された生態情報である血圧値はシリアル信号Ｖin−３ａとしてインターフェース回路３ａ−１に入力され患者端末本体部４ａのインターフェース回路４−３ａ−１の出力Ｖout−３ａとして伝達される。
【００２４】
また、図２（ｂ）に示すように血糖計３ｂを接続する場合、血糖計３ｂに内蔵されたトランジスタ１６と抵抗１７で構成されたインターフェース回路３ｂ−Ｉは、ステレオミニジャック７の１−２ピンに接続され、ケーブル６を介して患者端末本体部４ａのステレオミニジャック７に接続された各信号線に対応したスイッチ１０・１１を介して抵抗１８・１９及びトランジスタ２０で構成されたインターフェース回路４−３b−１に接続されている。スイッチ１０・１１は血糖計を選択した場合はそれぞれbの位置に選択的に設定されている。従って、血糖計３bで測定された生態情報である血糖値はシリアル信号Ｖin−３bとしてインターフェース回路３b−１に入力され患者端末本体部４ａのインターフェース回路４−３b−１の出力Ｖout−３bとして伝達される。さらに抵抗２１・２２とトランジスタ２３で構成される患者端末本体部４ａのインターフェース回路4−3b-2に入力された血糖計３ｂの制御信号Vin−4bはbの位置に選択的に設定されたスイッチ１２を介して血糖計3bのインターフェース回路３b-2である抵抗２４・２５とトランジスタ２６によりVout-4bとして血糖計に入力される。
【００２５】
また、血中酸素飽和度計３ｃを接続する場合も全く同様である。図２（ｃ）に示すように血中酸素飽和度計３ｃを接続する場合、血中酸素飽和度計３ｃに内蔵されたトランジスタ２７と抵抗２８で構成されたインターフェース回路３ｃ−Ｉは、ステレオミニジャック７の２−３ピンに接続され、ケーブル６と患者端末本体部４ａのステレオミニジャック７に接続された各信号線に対応したスイッチ１１・１２を介して抵抗２９・３０及びトランジスタ３１で構成されたインターフェース回路４−３c−１に接続されている。
【００２６】
スイッチ１１・１２は血中酸素飽和度計を選択した場合はそれぞれｃの位置に選択的に設定されている。
【００２７】
従って、血中酸素飽和度計３ｃで測定された生態情報である血中酸素飽和度はシリアル信号Ｖin−３ｃとしてインターフェース回路３ｃ−１に入力され患者端末本体部４ａのインターフェース回路４−３ｃ−１の出力Ｖout−３ｃとして伝達される。
【００２８】
なお、図２（ａ）、（ｂ）、（ｃ）において、患者端末中の回路は、それぞれに対応するもののみを表示している。
【００２９】
以上のように、使用者である患者はセンサを患者端末である電子救急箱に設けられた複数のセンサ接続部に接続する際にその箇所を意識せずに接続可能にすることが可能となる。
【００３０】
（第２の実施の形態）
図３は第２の実施の形態を示す構成図である。
【００３１】
なお、第１の実施の形態と同じ構成要素には同一符号を付して詳細な説明は省略する。
【００３２】
ここでセンサケーブル６の患者端末本体部４ａ側には５ピンのコネクタ３２を配し、患者端末本体部４ａの５ピンのコネクタ３３と接続する構成となっている。センサケーブル６側のコネクタ３２の４−５ピン間には抵抗３４が接続され、患者端末本体部４ａ側のコネクタ３３との接続時には抵抗３５と直列に接続されその接続点の電圧はセンサ識別電圧Ｖｓとして患者端末本体部４ａに入力される。
【００３３】
接続するセンサ毎にこれに対応して抵抗３４の値を変えることによりセンサケーブル６が患者端末本体部４ａに接続される都度、患者端末本体部４ａに入力されるセンサ背引き別電圧Ｖｓが異なることにより接続されたセンサが自動的に識別できる。これによりスイッチ１０・１１・１２の設定も使用者の意識的な選択によらず自動的に設定することができる。ここではセンサとして血圧計を接続した場合を実施例に示したが他のセンサにおいても同様であるので割愛する。
【００３４】
以上のように、使用者である患者はセンサを患者端末である電子救急箱に設けられた複数のセンサ接続部に接続する際にその箇所を意識せずに接続可能にすることが可能となる。
【００３５】
（第３の実施の形態）
図４（ａ）・図４（ｂ）・図４（ｃ）は第３の実施の形態を示す構成図である。
【００３６】
なお、第１、２の実施の形態と同じ構成要素には同一符号を付して詳細な説明は省略する。
【００３７】
ここでセンサケーブル６の患者端末本体部４ａ側には７ピンのコネクタ３６を配し、患者端末本体部４ａの７ピンのコネクタ３７と接続する構成となっている。図４（ａ）ではセンサケーブル６側のコネクタ３６の１ピンにはステレオジャックの１ピンが接続され、コネクタ３６の２ピンにはステレオジャックの２ピンが接続され、その他は何も接続競れていない血圧計専用のケーブルを構成している。コネクタ３６の３ピン以降には血圧計の回路は何も接続されていないので患者端末本体部４ａ側のコネクタ３７の３ピン以降にどのような回路が構成されていようが全く影響を与えたり受けたりしない。
【００３８】
図４（ｂ）においてもセンサケーブル６側のコネクタ３６の３ピンにはステレオジャックの１ピンが接続され、コネクタ３６の４ピンにはステレオジャックの２ピンが接続され、コネクタ３６の５ピンにはステレオジャックの３ピンが接続され、その他は何も接続競れていない血糖計専用のケーブルを構成している。コネクタ３６の１・２ピン及び６・７ピンには血糖計の回路は何も接続されていないので患者端末本体部４ａ側のコネクタ３７の１・２・６・７ピンにどのような回路が構成されていようが全く影響を与えたり受けたりしない。
【００３９】
図４（ｃ）においてもセンサケーブル６側のコネクタ３６の６ピンにはステレオジャックの２ピンが接続され、コネクタ３６の７ピンにはステレオジャックの３ピンが接続され、その他は何も接続競れていない血中酸素飽和度計専用のケーブルを構成している。コネクタ３６の１〜５ピンには血中酸素飽和度計の回路は何も接続されていないので患者端末本体部４ａ側のコネクタ３７の１〜５ピンにどのような回路が構成されていようが全く影響を与えたり受けたりしない。
【００４０】
以上のように、使用者である患者はセンサを患者端末である電子救急箱に設けられた複数のセンサ接続部に接続する際にその箇所を意識せずに接続可能にすることが可能となる。
【産業上の利用可能性】
【００４１】
以上のように本発明にかかる患者端末と健康管理支援システムは、健康管理を必要とする使用者がセンサ毎に異なるインターフェース回路を意識せずにセンサを患者端末に接続することが可能となり非常に利便性が向上する。
【図面の簡単な説明】
【００４２】
【図１】本発明の第１の実施の形態の健康管理支援システムのシステム図
【図２】（ａ）本発明の第１の実施の形態の健康管理支援システムにおける血圧計接続時の具体構成図、（ｂ）本発明の第１の実施の形態の健康管理支援システムにおける血糖計接続時の具体構成図、（ｃ）本発明の第１の実施の形態の健康管理支援システムにおける血中酸素飽和度計接続時の具体構成図
【図３】本発明の第２の実施の形態の患者端末を接続時の構成図
【図４】（ａ）本発明の第３の実施の形態の患者端末に関し、血圧計専用ケーブル接続の説明図、（ｂ）本発明の第３の実施の形態の患者端末に関し、血糖計専用ケーブル接続の説明図、（ｃ）本発明の第３の実施の形態の患者端末に関し、血中酸素飽和度計専用ケーブル接続の説明図
【図５】従来技術の説明図
【符号の説明】
【００４３】
１    サーバー装置
２    電話回線またはインターネット
３a    血圧計（センサ）
３ｂ    血糖計(センサ)
３ｃ    血中酸素飽和度計(センサ)
４    患者端末
４ａ    患者端末本体部  
５    医師側端末
６    センサケーブル
【図１】
2007130210.tif 000003
【図２】
2007130210.tif 000004
【図３】
2007130210.tif 000005
【図４】
2007130210.tif 000006
【図５】
2007130210.tif 000007